(57)【要約】【課題】本発明は、発熱部材に対して放熱部材が配置された側と反対側に作業空間を確保できなかったり、反対側からの作業が困難であったりしても、発熱部材を放熱部材に押し付けて放熱できる発熱部材の放熱構造を提供することを目的とする。【解決手段】放熱構造体１を、基板１３に実装された発熱部品２０と、発熱部品２０に近接して配置されたアッパーカバー１２と、発熱部品２０をアッパーカバー１２に押付ける押付け部材３０と、押付け部材３０を作動させて発熱部品２０をアッパーカバー１２に押し付ける操作を行う押付け操作部５０とで構成し、アッパーカバー１２、発熱部品２０及び押付け部材３０をこの順で配置するとともに、押付け操作部５０を、押付け部材３０より外側ＯＵＴから操作可能に構成した。【選択図】図１
2019175966.tif 000002
【特許請求の範囲】
【請求項１】
基板に実装された発熱部材と、
該発熱部材に近接して配置された放熱部材と、
前記発熱部材を前記放熱部材に押し付ける押付け部材と、
該押付け部材を作動させて前記発熱部材を前記放熱部材に押し付ける操作を行う操作部とで構成し、
前記放熱部材、前記発熱部材及び前記押付け部材をこの順で配置するとともに、
前記操作部を、前記押付け部材より前記発熱部材側から操作可能に構成した
発熱部材の放熱構造。
【請求項２】
前記押付け部材を前記放熱部材に連結する連結部材が備えられた
請求項１に記載の発熱部材の放熱構造。
【請求項３】
前記連結部材が、前記押付け部材を枢動可能に支持する枢支連結部材で構成され、
前記押付け部材に、前記発熱部材を押し付ける押付け領域と、前記操作部によって押し付け操作される被操作部とが設けられた
請求項２に記載の発熱部材の放熱構造。
【請求項４】
前記押付け領域が前記枢支連結部材で枢支された枢支部に対して一方側に配置され、前記被操作部が前記枢支部に対して他方側に配置された
請求項３に記載の発熱部材の放熱構造。
【請求項５】
前記押付け領域と前記被操作部とが、
前記押付け部材における前記発熱部材側の面に配置された
請求項３または４に記載の発熱部材の放熱構造。
【請求項６】
前記被操作部が、前記枢支部に対して前記押付け領域より遠くに配置された
請求項５に記載の発熱部材の放熱構造。
【請求項７】
前記操作部が、前記放熱部材に対して移動可能に設けられるとともに、前記被操作部を前記放熱部材から離間する方向に押し出す押し出し操作部で構成された
請求項３乃至６のうちいずれかに記載の発熱部材の放熱構造。
【請求項８】
前記押し出し操作部が、前記放熱部材に螺合する螺合手段で構成された
請求項７に記載の発熱部材の放熱構造。
【請求項９】
前記連結部材が、
前記発熱部材を前記放熱部材に押付ける押付け位置まで、前記放熱部材に対して前記押付け部材を移動可能に支持する移動支持部材で構成された
請求項２に記載の発熱部材の放熱構造。
【請求項１０】
前記操作部が、前記移動支持部材で構成された
請求項９に記載の発熱部材の放熱構造。
【請求項１１】
前記放熱部材が、前記発熱部材に対して絶縁された金属で構成された
請求項１乃至１０のうちいずれかに記載の発熱部材の放熱構造。
【請求項１２】
少なくとも前記発熱部材及び前記押付け部材を収容する筐体が備えられた
請求項１乃至１１のうちいずれかに記載の発熱部材の放熱構造。
【請求項１３】
前記放熱部材が、前記筐体の一部で構成された
請求項１２に記載の発熱部材の放熱構造。
【請求項１４】
前記放熱部材が、前記筐体に収容された
請求項１２に記載の発熱部材の放熱構造。
【発明の詳細な説明】
【技術分野】
【０００１】
この発明は、例えば、基板に実装される発熱部材の放熱構造に関する。
【背景技術】
【０００２】
従来より、発熱する電子部品や電子部品が実装された実装基板（これらをまとめて以下において発熱部材という）を基板に対して立設して実装する基板構造において、発熱部材の熱を放熱する放熱部材が併設された発熱部材の放熱構造が提案されている。
【０００３】
例えば、特許文献１に記載の発熱部品の放熱構造では、基板に設置された放熱部材に対して、バネ性を有するクランプ部材で基板に実装された発熱部材を押し付けて放熱する構造が開示されている。  
なお、特許文献１に記載の発熱部品の放熱構造では、基板にまず放熱部材を設置するとともに、発熱部材をハンダ実装したうえで、発熱部材を放熱部材に押付けるクランプ部材を放熱部材にネジ固定して組み付けることとなる。
【０００４】
しかしながら、このようなクランプ部材のネジ固定は製品として実装する際に行われることが多く、ネジ固定のための組み付け作業する空間、つまり発熱部材に対して放熱部材が配置された側と反対側の空間には、一般的に多くの他の電子部品やトランス、コネクタ等が設置されており、組み付け作業ができなかったり、組み付け作業が複雑化したりして、正確にネジ固定できなかったりすることがあった。
【先行技術文献】
【特許文献】
【０００５】
【特許文献１】特開２００４−１４６６２７号公報
【発明の概要】
【発明が解決しようとする課題】
【０００６】
この発明は、上述した問題を鑑み、発熱部材に対して放熱部材が配置された側と反対側に作業空間を確保できなかったり、反対側からの作業が困難であったりしても、発熱部材を放熱部材に押し付けて放熱できる発熱部材の放熱構造を提供することを目的とする。
【課題を解決するための手段】
【０００７】
この発明は、基板に実装された発熱部材と、該発熱部材に近接して配置された放熱部材と、前記発熱部材を前記放熱部材に押し付ける押付け部材と、該押付け部材を作動させて前記発熱部材を前記放熱部材に押し付ける操作を行う操作部とで構成し、前記放熱部材、前記発熱部材及び前記押付け部材をこの順で配置するとともに、前記操作部を、前記押付け部材より前記発熱部材側から操作可能に構成した発熱部材の放熱構造であることを特徴とする。
【０００８】
上述の基板に実装された発熱部材は、基板に実装するトランジスタなどの電子部品、あるいはこれらの電子部品が別の基板に実装された電子部品実装基板であってもよい。  
上述の前記発熱部材を前記放熱部材に押し付ける操作を行う操作部は、前記発熱部材を前記放熱部材に押し付けることができれば、操作部自体の操作は、押し込む、引っ張る、曲げる、あるいは捩じるなど様々な操作であってもよい。
【０００９】
上述の前記押付け部材より前記発熱部材側は、前記放熱部材、前記発熱部材及び前記押付け部材を配置する配置方向のうち前記放熱部材側を前方側とする前後方向とした場合において、前記押付け部材の側方及び側方より後方の背面側、上面側、底面側及び側面側を含む範囲をいう。
【００１０】
この発明により、前記発熱部材に対して前記放熱部材が配置された側と反対側に作業空間を確保できなかったり、反対側からの作業が困難であったりしても、前記操作部を操作して前記放熱部材に前記発熱部材を押し付けて放熱することができる。  
詳述すると、基板に実装された発熱部材と、該発熱部材に近接して配置された放熱部材と、前記発熱部材を前記放熱部材に押し付ける押付け部材と、該押付け部材を作動させて前記発熱部材を前記放熱部材に押し付ける操作を行う操作部とで構成し、前記放熱部材、前記発熱部材及び前記押付け部材をこの順で配置してするとともに、前記操作部を、前記押付け部材より前記発熱部材側から操作可能に構成しているため、つまり上述の配置方向における前記押付け部材の側方及び側方より後方側から前記操作部を操作できるため、前記発熱部材に対して前記放熱部材が配置された側と反対側に作業空間を確保できなかったり、反対側からの作業が困難であったりしても、前記操作部を操作して前記放熱部材に前記発熱部材を押し付けて放熱することができる。
【００１１】
この発明の態様として、前記押付け部材を前記放熱部材に連結する連結部材が備えられてもよい。  
この発明により、前記連結部材によって前記放熱部材に連結された前記押付け部材により、前記放熱部材を反力として前記発熱部材を前記放熱部材に確実に押し付けて放熱することができる。
【００１２】
またこの発明の態様として、前記連結部材が、前記押付け部材を枢動可能に支持する枢支連結部材で構成され、前記押付け部材に、前記発熱部材を押し付ける押付け領域と、前記操作部によって押し付け操作される被操作部とが設けられてもよい。
【００１３】
前記押付け領域及び前記被操作部は、前記枢支連結部材に対して共に一方側に配置されてもよいし、後述するように、前記枢支連結部材を挟んで両側に配置されてもよい。
【００１４】
この発明により、簡易な構造で前記発熱部材を前記放熱部材に押し付けて放熱することができる。  
詳述すると、前記放熱部材に対して前記枢支連結部材で枢動可能に支持されていた前記押付け部材の前記被操作部を前記操作部で操作することで前記押付け部材の前記押付け領域が前記発熱部材を前記放熱部材に押付けることができるため、簡易な構造で前記発熱部材を前記放熱部材に押し付けて放熱することができる。
【００１５】
またこの発明の態様として、前記押付け領域が前記枢支連結部材で枢支された枢支部に対して一方側に配置され、前記被操作部が前記枢支部に対して他方側に配置されてもよい。  
この発明により、前記操作部によって前記被操作部を操作する操作力を、前記押付け領域で前記発熱部材を前記放熱部材に押付ける押付け力に変換して確実かつ効率的に前記押付け領域で前記発熱部材を前記放熱部材に押し付けて放熱することができる。
【００１６】
またこの発明の態様として、前記押付け領域と前記被操作部とが、前記押付け部材における前記発熱部材側の面に配置されてもよい。  
この発明により、前記操作部によって前記被操作部を操作する操作力を、前記押付け領域で前記発熱部材を前記放熱部材に押付ける押付け力として逆方向に変換するため、交差方向に向けて変換する場合に比べて、効率的に前記押付け領域で前記発熱部材を前記放熱部材に押し付けて放熱することができる。
【００１７】
またこの発明の態様として、前記被操作部が、前記枢支部に対して前記押付け領域より遠くに配置されてもよい。  
この発明により、前記操作部で前記被操作部を押付け操作する押付け操作力を梃子の原理によって大きな力として、前記押付け領域で前記発熱部材を前記放熱部材に押し付けてより放熱することができる。
【００１８】
またこの発明の態様として、前記操作部が、前記放熱部材に対して移動可能に設けられるとともに、前記被操作部を前記放熱部材から離間する方向に押し出す押し出し操作部で構成されてもよい。  
この発明により、簡易な構造の前記押し出し操作部で押し出し操作して、前記押付け領域で前記発熱部材を前記放熱部材に押し付けてより放熱することができる。
【００１９】
またこの発明の態様として、前記押し出し操作部が、前記放熱部材に螺合する螺合手段で構成されてもよい。  
この発明により、螺合手段で構成された前記押し出し操作部を前記放熱部材に螺入することで、前記押付け領域で前記発熱部材を前記放熱部材に押し付けてより放熱することができる。
【００２０】
またこの発明の態様として、前記連結部材が、前記発熱部材を前記放熱部材に押付ける押付け位置まで、前記放熱部材に対して前記押付け部材を移動可能に支持する移動支持部材で構成されてもよい。  
この発明により、前記移動支持部材により前記放熱部材に対して前記発熱部材を前記放熱部材に押付ける押付け位置まで移動させることで、前記発熱部材を前記放熱部材に押し付けて放熱することができる。
【００２１】
またこの発明の態様として、前記操作部が、前記移動支持部材で構成されてもよい。  
この発明により、前記移動支持部材が前記操作部として機能するため、前記移動支持部材を移動させる操作を行うことで、前記発熱部材を前記放熱部材に押し付けて放熱することができる。
【００２２】
またこの発明の態様として、前記放熱部材が、前記発熱部材に対して絶縁された金属で構成されてもよい。  
この発明により、前記発熱部材と前記放熱部材とが短絡することなく、前記発熱部材を前記放熱部材に押し付けて放熱することができる。
【００２３】
またこの発明の態様として、少なくとも前記発熱部材及び前記押付け部材を収容する前記筐体が備えられてもよい。  
この発明により、放熱構造を前記筐体で保護することができる。
【００２４】
またこの発明の態様として、前記放熱部材が、前記筐体の一部で構成されてもよい。  
この発明により、前記筐体を前記放熱部材として機能させることができるため、部品点数を低減するとともに、放熱性が高い放熱構造を実現することができる。また、前記放熱部材として機能する前記筐体外部から前記操作部を操作して、前記放熱部材として機能する前記筐体に前記発熱部材を押し付けて放熱することができる。
【００２５】
またこの発明の態様として、前記放熱部材が、前記筐体に収容されてもよい。  
この発明により、前記発熱部材及び前記押付け部材とともに前記放熱部材を前記筐体で保護することができる。
【発明の効果】
【００２６】
この発明により、発熱部材に対して放熱部材が配置された側と反対側に作業空間を確保できなかったり、反対側からの作業が困難であったりしても、発熱部材を放熱部材に押し付けて放熱できる発熱部材の放熱構造を提供することができる。
【図面の簡単な説明】
【００２７】
【図１】放熱構造体の要部の斜視図による説明図。
【図２】放熱構造体の要部の縦断面図による説明図。
【図３】第２実施形態の放熱構造体の要部の説明図。
【図４】第２実施形態の放熱構造体の要部の断面図による説明図。
【図５】さらに異なる実施形態の放熱構造体の要部の斜視図。
【発明を実施するための形態】
【００２８】
（第１実施形態）  
この発明の第１実施形態の放熱構造体１について、図１及び図２とともに説明する。  
図１は放熱構造体１の要部の斜視図による説明図を示し、図２は放熱構造体１の要部の断面図による説明図を示している。  
【００２９】
詳述すると、図１（ａ）は放熱構造体１の要部のみを切り出して、筐体内部の内部空間から視た斜視図であり、図１（ｂ）は図１（ａ）の図面において発熱部品２０及び絶縁シート６０の構造について明確に図示するため押付け部材３０を透過状態で図示している。図２は放熱構造体１の要部の縦断面であり、図２（ａ）は設置状態の縦断面図を示し、図２（ｂ）は押し付け状態の縦断面図を示している。
【００３０】
なお、放熱構造体１の高さ方向（図１において上下方向）を上下方向Ｈとし、その上側を上側Ｈｕとし、下側を下側Ｈｄとしている。また、放熱構造体１の幅方向（図１において左下と右上とを結ぶ方向）を幅方向Ｗとし、放熱構造体１における筐体１０の内外方向（図１において左上と右下とを結ぶ方向）における内側（図１において右下側）を内側ＩＮとし、外側（図１において左上側）を外側ＯＵＴとしている。
【００３１】
放熱構造体１は、アンダーカバー１１と、放熱部材として機能するアッパーカバー１２とで構成する筐体１０の内側ＩＮの内部空間に配置された基板１３に実装された発熱部品２０と、発熱部品２０をアッパーカバー１２に押付ける押付け部材３０と、押付け部材３０をアッパーカバー１２に連結するとともに枢支する枢支連結支持部４０と、押付け部材３０を発熱部品２０に押付ける押付け操作する押付け操作部５０と、アッパーカバー１２の内面に貼付した絶縁シート６０とで構成し、筐体１０に収容している。
ている。
【００３２】
筐体１０は、図１においてその一部しか図示していないが、底面１１ａと側面１１ｂとで構成する上側Ｈｕが開放された凹状のアンダーカバー１１と、上面１２ａと側面１２ｂとで構成する下側Ｈｄが開放された逆凹状のアッパーカバー１２とを上下方向Ｈに組み付けて、内部に内部空間を有する箱形で構成している。
【００３３】
アンダーカバー１１の側面１１ｂには、基板１３を設置する設置溝１１ｃが形成され、設置溝１１ｃに合わせて基板１３を設置している。  
放熱部材として機能するアッパーカバー１２は、放熱性の高い金属製のカバー体で構成している。
【００３４】
発熱部品２０は、トランジスタなどの電子部品であり、底部から下方に延びる複数本の導電性を有する脚部２１を備えており、基板１３に設けたスルーホール１３ａに脚部２１を貫通させ、基板１３の底面側でハンダ固定して、発熱部品２０を基板１３に実装している。なお、脚部２１をスルーホール１３ａに貫通させて実装した発熱部品２０は、基板１３の上面から適宜の間隔を隔てた高さに配置され、その下方に脚部２１が露出する態様、つまり、脚部２１で発熱部品２０が支持された状態で実装している。
【００３５】
押付け部材３０は、後述する枢支連結支持部４０によって枢動可能に支持された部材であり、幅方向Ｗから視て、内側ＩＮに折れ曲がるくの字状の押付部材本体３１と、押付部材本体３１の折れ曲がり箇所の側面から幅方向Ｗに延びる枢支軸３２とで構成している。
【００３６】
なお、幅方向Ｗから視てくの字状の押付部材本体３１において上側Ｈｕを後述する押付け操作部５０によって押し付け操作される被操作部３１ａとし、下側Ｈｄを、発熱部品２０を押し付ける押付部３１ｂとしている。また、押付部３１ｂの中央には、外側ＯＵＴに突出する押付凸部３３を形成している。
【００３７】
枢支連結支持部４０は、アッパーカバー１２の側面１２ｂの内面から内側ＩＮに水平方向に延設し、押付け部材３０の幅方向Ｗ両側に配置している。このように、押付け部材３０の幅方向Ｗ両側に配置した枢支連結支持部４０には押付け部材３０の枢支軸３２が貫通する貫通孔４１を設け、貫通孔４１で押付け部材３０を枢支している。  
なお、枢支連結支持部４０は、発熱部品２０の上部に対応する高さに設けている。
【００３８】
押付け操作部５０は、アッパーカバー１２の側面１２ｂの内面上部に固定した操作ナット５１と、アッパーカバー１２の外側ＯＵＴから挿通させて操作ナット５１に螺合する操作ボルト５２とで構成している。
【００３９】
操作ボルト５２は、ボルト頭部５２ａと、ボルト軸部５２ｂとで構成し、ボルト頭部５２ａはアッパーカバー１２の側面１２ｂの外側ＯＵＴから螺合操作可能であり、アッパーカバー１２の側面１２ｂの内面上部に固定した操作ナット５１に螺合したボルト軸部５２ｂは内部空間において内側ＩＮに突出することとなる。
【００４０】
絶縁シート６０は、絶縁性は有するものの、熱伝導性に優れたシート材であり、アッパーカバー１２の側面１２ｂの内面において、幅方向Ｗに押付け部材３０に対応する間隔を隔てて配置した２つの枢支連結支持部４０の間かつ押付け操作部５０の下側Ｈｄに貼り付けている。
【００４１】
このように構成した放熱構造体１は、アッパーカバー１２の側面１２ｂの内面に絶縁シート６０が貼付され、内側ＩＮに基板１３に実装された発熱部品２０が配置され、さらにその内側ＩＮに押付け部材３０が配置されている。  
そして、アッパーカバー１２の側面１２ｂの外側ＯＵＴから押付け操作部５０を操作することで押付け部材３０により発熱部品２０をアッパーカバー１２の側面１２ｂに押し付けて放熱することができる。
【００４２】
詳述すると、アッパーカバー１２の側面１２ｂの外側ＯＵＴである筐体１０の外部からボルト頭部５２ａに対してドライバ等の回転治具で操作ボルト５２を螺入すると、アッパーカバー１２の側面１２ｂの内面に固定した操作ナット５１によって、操作ボルト５２自体が内側ＩＮに移動し、内部空間におけるボルト軸部５２ｂの内側ＩＮへの突出量が大きくなる。
【００４３】
操作ボルト５２の螺入によって内側ＩＮに移動したボルト軸部５２ｂの先端で、枢支連結支持部４０によって枢支された押付け部材３０の被操作部３１ａを内側ＩＮに押し付けることとなる。このとき、ボルト軸部５２ｂの先端は、被操作部３１ａにおける上方を押し付けることとなる。
【００４４】
このボルト軸部５２ｂの先端による被操作部３１ａの内側ＩＮへの押し付けにより、枢支軸３２で枢支連結支持部４０に枢支された押付部３１ｂは外側ＯＵＴに移動するように、押付部材本体３１が枢支軸３２を中心に枢動し、押付部３１ｂに設けた押付凸部３３で発熱部品２０を外側ＯＵＴに向けて押し付ける。
【００４５】
このようにして、押付部３１ｂの押付凸部３３で外側ＯＵＴに向けて押し付けられた発熱部品２０は、絶縁シート６０を介してアッパーカバー１２に当接するため、発熱部品２０で発熱した熱を、絶縁シート６０を介してアッパーカバー１２から放熱することができる。
【００４６】
このように、基板１３に実装された発熱部品２０と、発熱部品２０に近接して配置されたアッパーカバー１２と、発熱部品２０をアッパーカバー１２に押付ける押付け部材３０と、押付け部材３０を作動させて発熱部品２０をアッパーカバー１２に押し付ける操作を行う押付け操作部５０とで構成した放熱構造体１は、アッパーカバー１２、発熱部品２０及び押付け部材３０をこの順で配置するとともに、押付け操作部５０を、押付け部材３０より外側ＯＵＴである筐体１０の外部から操作可能に構成したため、発熱部品２０の内側ＩＮに作業空間を確保できなかったり、発熱部品２０の内側ＩＮからの操作ができなかったりしても、筐体１０の外部において押付け操作部５０を操作してアッパーカバー１２に発熱部品２０を押し付けて放熱することができる。
【００４７】
また、押付け部材３０をアッパーカバー１２に連結する枢支連結支持部４０が備えられているため、枢支連結支持部４０によってアッパーカバー１２に連結された押付け部材３０により、アッパーカバー１２を反力として発熱部品２０をアッパーカバー１２に確実に押し付けて放熱することができる。
【００４８】
また、枢支連結支持部４０は、押付け部材３０を枢動可能に支持する構成であり、押付け部材３０に、発熱部品２０を押し付ける押付部３１ｂと、押付け操作部５０によって押し付け操作される被操作部３１ａとが設けられているため、簡易な構造で発熱部品２０をアッパーカバー１２に押し付けて放熱することができる。
【００４９】
詳述すると、アッパーカバー１２に対して枢支連結支持部４０で枢動可能に支持されていた押付け部材３０の被操作部３１ａを押付け操作部５０で操作することで押付け部材３０の押付部３１ｂが発熱部品２０をアッパーカバー１２に押付けることができるため、簡易な構造で発熱部品２０をアッパーカバー１２に押し付けて放熱することができる。
【００５０】
また、押付部材本体３１において押付部３１ｂが枢支連結支持部４０で枢支された枢支軸３２より下側Ｈｄに配置され、被操作部３１ａが枢支軸３２より上側Ｈｕに配置されているため、押付け操作部５０によって被操作部３１ａを操作する操作力を、押付部３１ｂで発熱部品２０をアッパーカバー１２に押付ける押付け力に変換して確実かつ効率的に押付部３１ｂで発熱部品２０をアッパーカバー１２に押し付けて放熱することができる。
【００５１】
また、押付部３１ｂと被操作部３１ａとが、押付け部材３０における外側ＯＵＴの面に配置されているため、押付け操作部５０によって被操作部３１ａを操作する操作力を、押付部３１ｂで発熱部品２０をアッパーカバー１２に押付ける押付け力として逆方向に変換するため、交差方向に向けて変換する場合に比べて、効率的に押付部３１ｂで発熱部品２０をアッパーカバー１２に押し付けて放熱することができる。
【００５２】
また、被操作部３１ａにおいて操作ボルト５２のボルト軸部５２ｂの先端が当接する箇所と枢支軸３２との間隔が、押付部３１ｂの押付凸部３３と枢支軸３２との間隔に比べて長いため、押付け操作部５０で被操作部３１ａを押付け操作する押付け操作力を梃子の原理によって大きな力として、押付部３１ｂの押付凸部３３で発熱部品２０をアッパーカバー１２に押し付けてより放熱することができる。
【００５３】
また、押付け操作部５０の操作ボルト５２は、アッパーカバー１２に対して内側ＩＮに移動でき、被操作部３１ａを内側ＩＮに押し出す構成であるため、押付部３１ｂで発熱部品２０をアッパーカバー１２に押し付けてより放熱することができる。
【００５４】
また、押付け操作部５０は、アッパーカバー１２の側面１２ｂに設けた操作ナット５１に螺合する操作ボルト５２を有しているため、押付け操作部５０の操作ボルト５２をアッパーカバー１２の側面１２ｂに設けた操作ナット５１に螺入することで、押付部３１ｂで発熱部品２０をアッパーカバー１２に押し付けてより放熱することができる。
【００５５】
また、アッパーカバー１２が金属製であるとともに絶縁シート６０が貼付されているため、発熱部品２０とアッパーカバー１２とが短絡することなく、発熱部品２０をアッパーカバー１２に押し付けて放熱することができる。  
また、発熱部品２０及び押付け部材３０Ａを収容する筐体１０によって放熱構造体１を保護することができる。
【００５６】
また、筐体１０のアッパーカバー１２が放熱部材として機能するため、部品点数を低減するとともに、放熱性が高い放熱構造体１を実現することができる。また、アッパーカバー１２として機能する筐体１０のアッパーカバー１２の外側ＯＵＴから押付け操作部５０を操作して、放熱部材として機能する筐体１０のアッパーカバー１２に発熱部品２０を押し付けて放熱することができる。
【００５７】
（第２実施形態）  
この発明の第２実施形態の放熱構造体１Ａについて、図３及び図４とともに説明する。ただし、以下で説明する構成のうち、上述した第１実施形態の放熱構造体１と同様の構成については、同一の符号を付して、その説明を省略する。
【００５８】
図３は放熱構造体１Ａの要部の説明図を示し、図２は放熱構造体１Ａの要部の断面図による説明図を示している。  
詳述すると、図３（ａ）は放熱構造体１Ａの要部のみを切り出して、筐体内部側から視た斜視図であり、図３（ｂ）は押付け部材３０Ａの斜視図を示し、図３（ｃ）は押付け部材３０Ａの幅方向Ｗから視た図を示している。図４は放熱構造体１Ａの要部の縦断面であり、図４（ａ）は設置状態の縦断面図を示し、図４（ｂ）は押し付け状態の縦断面図を示している。
【００５９】
押付部材本体３１の枢支軸３２を枢支連結支持部４０で枢支するとともにアッパーカバー１２に連結し、押付け操作部５０で被操作部３１ａを内側ＩＮに押し付けて、押付部３１ｂで発熱部品２０を外側ＯＵＴのアッパーカバー１２に押し付けて放熱する放熱構造体１と異なり、放熱構造体１Ａは、枢支連結支持部４０を備えず、図３に示すような支持アーム３４が被操作部３１ａの側面に設けられた押付け部材３０Ａを用いている。
【００６０】
支持アーム３４は、上述の押付け部材３０と同様の被操作部３１ａと押付部３１ｂとで幅方向Ｗから視てくの字状である押付部材本体３１における被操作部３１ａの両側面から直交する方向の外側ＯＵＴに延出された上下方向Ｈに長い長方形断面のアームであり、外側ＯＵＴの端部に幅方向Ｗの外側に広がるストッパ３５を設けている。
【００６１】
ストッパ３５は、被操作部３１ａに対して直交する方向に延出された支持アーム３４に対して上側Ｈｕに向かって外側ＯＵＴに傾斜する向きで設けている。なお、ストッパ３５の傾斜する角度は、図３（ｃ）に示すように、被操作部３１ａに対してくの字状に傾斜する押付部３１ｂと略同じ傾斜角度で傾斜している。
【００６２】
また、支持アーム３４におけるストッパ３５の内側ＩＮには、幅方向Ｗから視て台形状であり、上側Ｈｕに凹む台形凹部３６を形成している。  
台形凹部３６は、上辺がアッパーカバー１２の係止貫通孔１２ｃの板厚に対応する長さの上辺を有するとともに、支持アーム３４の１／４程度の高さで形成された等脚台形状であり、支持アーム３４の長手方向の中央より少し外側ＯＵＴに配置されている。
【００６３】
このように構成された押付け部材３０Ａは、図３（ａ）に示すように、アッパーカバー１２の側面１２ｂに設けられた係止貫通孔１２ｃに支持アーム３４を貫通させて装着している。そして、ストッパ３５がアッパーカバー１２の側面１２ｂの外側ＯＵＴに配置されるため、ストッパ３５がアッパーカバー１２の側面１２ｂの外側ＯＵＴの面に当接して、支持アーム３４が係止貫通孔１２ｃから抜け落ちることを防止している。
【００６４】
係止貫通孔１２ｃは、支持アーム３４よりわずかに広い幅で、支持アーム３４の高さより高く、内側ＩＮから視て上下方向Ｈに長い長方形の開口である。なお、係止貫通孔１２ｃの高さは、支持アーム３４に対して傾斜して設けられたストッパ３５の斜辺長さと略同じ高さで形成している。
【００６５】
このように構成された放熱構造体１Ａは、図４（ａ）に示すように、通常状態では、係止貫通孔１２ｃに挿通された支持アーム３４の台形凹部３６に係止貫通孔１２ｃの下面部分がはまり込むような態様で押付け部材３０Ａがアッパーカバー１２に取り付けられている。
【００６６】
この状態で、アッパーカバー１２の側面１２ｂの外側ＯＵＴから、つまり筐体１０の外部から押付け操作部５０を操作することで押付け部材３０Ａにより発熱部品２０を押し付けて放熱することができる。
【００６７】
詳述すると、放熱構造体１の場合と同様に、アッパーカバー１２の側面１２ｂの外側ＯＵＴである筐体１０の外部においてボルト頭部５２ａに対してドライバ等の回転治具で操作ボルト５２を螺入し、操作ボルト５２の螺入によって内側ＩＮに移動したボルト軸部５２ｂの先端で、支持アーム３４でアッパーカバー１２の係止貫通孔１２ｃに係止する押付け部材３０Ａの被操作部３１ａを内側ＩＮに押し付けることとなる。
【００６８】
このボルト軸部５２ｂの先端による被操作部３１ａの内側ＩＮへの押し付けにより、台形凹部３６で係止貫通孔１２ｃに係止していた支持アーム３４はたわみ、押付け部材３０Ａが内側ＩＮに拝むように傾斜する。さらなるボルト軸部５２ｂの先端による被操作部３１ａの内側ＩＮへの押し付けにより、台形凹部３６が係止貫通孔１２ｃから外れることで、ストッパ３５が側面１２ｂの外側ＯＵＴに当接するまで、支持アーム３４は前屈みの姿勢で内側ＩＮに移動する。この前屈みの姿勢での支持アーム３４の内側ＩＮへの移動により、押付け部材３０Ａの押付部３１ｂに設けた押付凸部３３で発熱部品２０を外側ＯＵＴに向けて押し付けることができる。
【００６９】
このようにして、押付部３１ｂの押付凸部３３で外側ＯＵＴに向けて押し付けられた発熱部品２０は、絶縁シート６０を介してアッパーカバー１２に当接するため、発熱部品２０で発熱した熱を、絶縁シート６０を介してアッパーカバー１２から放熱することができる。
【００７０】
このように、基板１３に実装された発熱部品２０と、発熱部品２０に近接して配置されたアッパーカバー１２と、発熱部品２０をアッパーカバー１２に押付ける押付け部材３０Ａと、押付け部材３０Ａを作動させて発熱部品２０をアッパーカバー１２に押し付ける操作を行う押付け操作部５０とで構成した放熱構造体１Ａは、アッパーカバー１２、発熱部品２０及び押付け部材３０Ａをこの順で配置するとともに、押付け操作部５０を、押付け部材３０Ａより外側ＯＵＴから操作可能に構成したため、発熱部品２０の内側ＩＮに作業空間を確保できなかったり、発熱部品２０の内側ＩＮからの操作ができなかったりしても、筐体１０の外部において押付け操作部５０を操作してアッパーカバー１２に発熱部品２０を押し付けて放熱することができる。
【００７１】
また、押付け部材３０Ａをアッパーカバー１２に連結する支持アーム３４が備えられているため、支持アーム３４によってアッパーカバー１２に連結された押付け部材３０Ａにより、アッパーカバー１２を反力として発熱部品２０をアッパーカバー１２に確実に押し付けて放熱することができる。
【００７２】
また、押付部３１ｂと被操作部３１ａとが、押付け部材３０Ａにおける外側ＯＵＴの面に配置されているため、押付け操作部５０によって被操作部３１ａを操作する操作力を、押付部３１ｂで発熱部品２０をアッパーカバー１２に押付ける押付け力として逆方向に変換するため、交差方向に向けて変換する場合に比べて、効率的に押付部３１ｂで発熱部品２０をアッパーカバー１２に押し付けて放熱することができる。
【００７３】
また、アッパーカバー１２に対して内側ＩＮに移動し、被操作部３１ａを内側ＩＮに押し出す操作ボルト５２を押し出し操作することで、押付部３１ｂで発熱部品２０をアッパーカバー１２に押し付けてより放熱することができる。
【００７４】
また、押付け操作部５０は、アッパーカバー１２に設けた操作ナット５１に螺合する操作ボルト５２を有しているため、押付け操作部５０の操作ボルト５２をアッパーカバー１２に設けた操作ナット５１に螺入することで、押付部３１ｂで発熱部品２０をアッパーカバー１２に押し付けてより放熱することができる。
【００７５】
また、発熱部品２０を押付け部材３０Ａによってアッパーカバー１２に押付ける押付け位置まで移動可能に構成した支持アーム３４により、発熱部品２０をアッパーカバー１２に押し付けて放熱することができる。
【００７６】
また、アッパーカバー１２が金属製であるとともに絶縁シート６０が貼付されているため、発熱部品２０とアッパーカバー１２とが短絡することなく、発熱部品２０をアッパーカバー１２に押し付けて放熱することができる。  
また、発熱部品２０及び押付け部材３０Ａを収容する筐体１０によって放熱構造体１Ａを保護することができる。
【００７７】
また、筐体１０のアッパーカバー１２が放熱部材として機能させることができるため、部品点数を低減するとともに、放熱性が高い放熱構造を実現することができる。また、アッパーカバー１２として機能する筐体１０のアッパーカバー１２の外部から押付け操作部５０を操作して、アッパーカバー１２として機能する筐体１０のアッパーカバー１２に発熱部品２０を押し付けて放熱することができる。
【００７８】
また、上述の放熱構造体１Ａの説明では、押付け操作部５０で押付け部材３０Ａを内側ＩＮに押付けたが、押付け操作部５０を備えずとも、支持アーム３４を押付け部材３０Ａに対して押し込み操作する操作部と機能させ、支持アーム３４を操作して、図４（ｂ）に図示するような押付け状態としてもよい。
【００７９】
また、押付け操作部５０を備えずとも、支持アーム３４自体を押し込む、つまりアッパーカバー１２に対して移動する支持アーム３４を操作部として機能させることで、発熱部品２０をアッパーカバー１２に押し付けて放熱することができる。
【００８０】
また、上述の説明では、放熱構造体１及び放熱構造体１Ａにおいてアッパーカバー１２を放熱部材として機能させたが、図５に示すように、アッパーカバー１２と発熱部品２０との間、つまりアッパーカバー１２の内部である内部空間に放熱部材７０を設置して、放熱部材７０、発熱部品２０及び押付け部材３０，３０Ａを外側ＯＵＴから内側ＩＮに向かってこの順で配置し、押付け部材３０，３０Ａで発熱部品２０を放熱部材７０に押し付けて、放熱部材７０で放熱するように構成してもよい。
【００８１】
このように、アッパーカバー１２の内部、つまり内部空間に放熱部材７０が収容されているため、発熱部品２０及び押付け部材３０，３０Ａとともに放熱部材７０を筐体１０で保護することができる
【００８２】
この発明の構成と、上述の実施形態との対応において、この発明の基板は基板１３に対応し、
以下同様に、
発熱部材は発熱部品２０に対応し、
放熱部材はアッパーカバー１２または放熱部材７０に対応し、
押付け部材は押付け部材３０，３０Ａに対応し、
操作部は押付け操作部５０または支持アーム３４に対応し、
発熱部材の放熱構造は放熱構造体１，１Ａに対応し、
連結部材は枢支連結支持部４０または支持アーム３４に対応し、
枢支連結部材は枢支連結支持部４０に対応し、
押付け領域は押付部３１ｂに対応し、
被操作部は被操作部３１ａに対応し、
枢支部は枢支軸３２に対応し、
発熱部材側は外側ＯＵＴに対応し、
押し出し操作部は押付け操作部５０または支持アーム３４に対応し、
螺合手段は押付け操作部５０に対応し、
移動支持部材は支持アーム３４に対応し、
筐体はアッパーカバー１２に対応するも、この発明は、上述の実施形態の構成のみに限定されるものではなく、多くの実施の形態を得ることができる。
【００８３】
例えば、上述の放熱構造体１，１Ａでは、アッパーカバー１２の側面１２ｂに設けた押付け操作部５０で外側ＯＵＴから操作して押付け部材３０，３０Ａで発熱部品２０をアッパーカバー１２に押し付けたが、押付け部材３０，３０ＡよりＯＵＴ側であれば、押付け部材３０，３０Ａに対して幅方向Ｗの側方や、アッパーカバー１２の上面１２ａから、あるいはアンダーカバー１１の底面１１ａから押付け操作部５０を操作するように構成してもよい。
【００８４】
また、上述の説明では押付け操作部５０を内側ＩＮに螺入して押付け部材３０，３０Ａで発熱部品２０をアッパーカバー１２に押し付けたが、押付け部材３０，３０Ａを外側ＯＵＴに引っ張るような操作や、曲げるような操作あるいは捩じるような操作によって押付け部材３０，３０Ａで発熱部品２０をアッパーカバー１２に押し付けるような操作部で構成してもよい。
【００８５】
なお、枢支連結支持部４０で枢支された押付け部材３０を外側ＯＵＴに引っ張るような操作で発熱部品２０をアッパーカバー１２に押し付ける場合、押付部材本体３１において被操作部３１ａ、押付部３１ｂ及び枢支軸３２の順で配置、つまり枢支軸３２に対して被操作部３１ａと押付部３１ｂとが押付部材本体３１の一方側に配置されることとなる。
【００８６】
さらには、上述の説明において、トランジスタなどの電子部品を発熱部品２０として基板１３に実装し、発熱部品２０が発する熱をアッパーカバー１２に押し付けて放熱したが、基板１３とは異なる基板に発熱部品２０を実装した部品実装基板を、放熱構造体１，１Ａにおける発熱部品２０の代わりに、基板１３に実装して放熱構造体を構成してもよく、これにより上述の放熱構造体１，１Ａと同様の効果を得ることができる。
【００８７】
また、アッパーカバー１２の側面１２ｂの内面に絶縁シート６０を貼付して発熱部品２０とアッパーカバー１２との短絡を防止したが、アッパーカバー１２を非導電性金属で構成してもよいし、導電性金属であっても、絶縁性コーティングで被覆してもよいし、少なくとも発熱部品２０が当接する箇所に絶縁性塗料を塗布して絶縁性を確保してもよい。
【符号の説明】
【００８８】
１，１Ａ…放熱構造体
１２…アッパーカバー
１３…基板
２０…発熱部品
３０，３０Ａ…押付け部材
３１ａ…被操作部
３１ｂ…押付部
３２…枢支軸
３４…支持アーム
４０…枢支連結支持部
５０…押付け操作部
７０…放熱部材
ＯＵＴ…外側
【図１】
2019175966.tif 000003
【図２】
2019175966.tif 000004
【図３】
2019175966.tif 000005
【図４】
2019175966.tif 000006
【図５】
2019175966.tif 000007